(57)【要約】【課題】ユーザが自ら検索キーワードを抽出する手間がなく、キーワードに対応するヘルプ表示一覧を持つ必要がないヘルプ表示方法、ヘルプ表示装置及びプログラムを提供することを目的とする。【解決手段】ユーザインタフェースを有する情報処理装置が、ヘルプを表示する機能を持ち、ヘルプを表示させる際に、ユーザインタフェース上の文字列を取得し、検索キーワードにする、また、検索キーワードでヘルプ情報を検索し、検索結果を表示するヘルプ表示装置である。【選択図】図３
2009282817.tif 000002
【特許請求の範囲】
【請求項１】
ユーザインタフェースを具備し、ヘルプ機能を具備する情報処理装置において、
ヘルプを表示させる際に、上記情報処理装置のユーザインタフェース上の文字列を取得する文字列取得工程と；
上記文字列取得工程で取得された文字列を、キーワードとして、ヘルプ情報を検索する検索工程と；
上記検索工程で検索された検索結果に基づいて、ヘルプを表示する表示工程と；
を有することを特徴とするヘルプ表示方法。
【請求項２】
請求項１において、
上記情報処理装置は、デバイスドライバであり、
上記デバイスドライバは、
デバイスのステータス情報を取得するステータス情報取得工程と；
デバイスのステータス情報を表示するステータス情報表示工程と；
を実行し、上記文字列取得工程は、上記ステータス情報表示工程で表示された文字列を取得する工程であることを特徴とするヘルプ表示方法。
【請求項３】
請求項１において、
上記情報処理装置のユーザインタフェースは、ウインドウであり、
上記文字列取得工程は、上記ウインドウのタイトルやタブの文字列を取得する工程であることを特徴とするヘルプ表示方法。
【請求項４】
請求項１において、
上記情報処理装置のユーザインタフェースは、ウインドウであり、
上記文字列取得工程は、上記ウインドウ内に表示されているコントロール内の文字列を取得する工程であることを特徴とするヘルプ表示方法。
【請求項５】
請求項１において、
上記文字列取得工程は、ヘルプを表示する際に上記情報処理装置のユーザインタフェース上でヘルプを表示する直前にフォーカスが当たっていた文字列を取得する工程であることを特徴とするヘルプ表示方法。
【請求項６】
請求項１において、
上記文字列取得工程は、取得した文字列について、優先順位をつける工程であり、
上記表示工程は、上記検索工程で検索されたヘルプ情報を、優先順位の高い順に表示する工程であることを特徴とするヘルプ表示方法。
【請求項７】
ユーザインタフェースを具備し、ヘルプ機能を具備する情報処理装置において、
ヘルプを表示させる際に、上記情報処理装置のユーザインタフェース上の文字列を取得する文字列取得手段と；
上記文字列取得手段が取得した文字列を、キーワードとして、ヘルプ情報を検索する検索手段と；
上記検索手段の検索結果に基づいて、ヘルプを表示する表示手段と；
を有することを特徴とするヘルプ表示装置。
【請求項８】
ユーザインタフェースを有する情報処理装置がヘルプ機能を具備し、ヘルプを表示させる際に、上記情報処理装置のユーザインタフェース上の文字列を取得する文字列取得手順と；
上記文字列取得手順で取得した文字列を、キーワードとして、ヘルプ情報を検索する検索手順と；
上記検索手順で検索した検索結果に基づいて、ヘルプを表示する表示手順と；
をコンピュータに実行させるプログラム。
【発明の詳細な説明】
【技術分野】
【０００１】
本発明は、所望のヘルプを表示させるための表示方法に関する。
【背景技術】
【０００２】
従来、ヘルプを表示させる方法として、複数のウインドウをＧＵＩとして表示するソフトウェアが、各ウインドウにヘルプボタンを持ち、ウインドウ上にあるヘルプボタンを押下すると、そのＧＵＩに関連したヘルプを表示する方法が知られている。
【０００３】
また、ソフトウェアのＧＵＩ上で検索したい個所に、マウスを移動し、選択することによって、ヘルプを表示させる方法もある。
【０００４】
また、ソフトウェアのユーザインタフェース上の検索したい個所に、マウスを移動し、キーボードからヘルプを呼び出すキーを押下すると、現在のマウスカーソルの位置から、ヘルプ情報の識別のためのｉｄ、又はヘルプファイル名を取得する。そして、ｉｄとヘルプとが１対１で予め対応している一覧表から、所望のヘルプを見つけ出し、また、ヘルプファイル名から、所望のヘルプを見つけ出す方法が知られている（たとえば、特許文献１参照）。
【０００５】
また、ユーザがヘルプ情報ファイルと呼ばれるファイルから、検索のためのキーワードを探し出し、ユーザ自ら検索キーワードを入力し、必要とされる所望のページを見つけ出す方法が知られている（たとえば、特許文献２参照）。
【特許文献１】特開平８−３２８７９４号公報
【特許文献２】特開平７−１２１５６３号公報
【発明の開示】
【発明が解決しようとする課題】
【０００６】
しかし、特許文献１記載の発明では、ｉｄに対応したヘルプの表示一覧表を予め用意する必要があり、ヘルプの構成やファイル名が変更されると、ｉｄに対応するヘルプの表示一覧表を、作り直す必要があるという問題がある。
【０００７】
特許文献２記載の発明では、キーワードの一覧から、ユーザ自ら検索キーワードを抽出する必要があるので、処理が煩雑であるという問題がある。
【０００８】
本発明は、ユーザが自ら検索キーワードを抽出する手間がなく、キーワードに対応するヘルプ表示一覧を持つ必要がないヘルプ表示方法、ヘルプ表示装置及びプログラムを提供することを目的とする。
【課題を解決するための手段】
【０００９】
本発明は、ユーザインタフェースを有する情報処理装置が、ヘルプを表示する機能を持ち、ヘルプを表示させる際に、ユーザインタフェース上の文字列を取得し、検索キーワードにする、また、検索キーワードでヘルプ情報を検索し、検索結果を表示するヘルプ表示装置である。
【発明の効果】
【００１０】
本発明によれば、ユーザは、自ら検索キーワードを抽出せずに、また、ヘルプの構成やファイル名が変更になっても、どのヘルプを表示させるかを予め決めずに、所望のヘルプを表示することができるという効果を奏する。
【発明を実施するための最良の形態】
【００１１】
発明を実施するための最良の形態は、次の実施例である。
【実施例１】
【００１２】
図１は、本発明の実施例１であるホストコンピュータ１０を示す図である。
【００１３】
ホストコンピュータ１０は、ヘルプ表示装置の例であり、プリンタドライバがインストールされ、インタフェース１９を介して、上記プリンタドライバに対応するプリンタ２０に接続されている。
【００１４】
次に、ホストコンピュータ１０について説明する。
【００１５】
図２は、ホストコンピュータ１０の物理的な構成を示す図である。
【００１６】
ホストコンピュータ１０は、ＣＰＵ１１と、ＲＡＭ１２と、ハードディスク１３と、通信インタフェース１６と、システムバス１７とを有し、マウス１４と、ディスプレイ１５とに接続されている。
【００１７】
ＣＰＵ１１は、プログラム命令を解釈し、実行する中央演算処理装置である。ＲＡＭ１２は、ＯＳやソフトウェアの実行コードやデータを格納している。
【００１８】
マウス１４は、ユーザインタフェースとして用い、入力装置の例である。ディスプレイ１５は、出力装置の例である。通信インタフェース１６は、プリンタ２０との情報のやり取りを行う。
【００１９】
実施例１では、プリンタ２０を接続しているが、プリンタと通信する必要がなければ、プリンタを接続しなくてもよい。
【００２０】
図３は、プリンタドライバＰＤ１の機能構成の一例を示す図である。
【００２１】
プリンタドライバＰＤ１は、ＲＡＭ１２やハードディスク１３に格納されている。
【００２２】
オペレーティングシステム３２が、アプリケーション３１から、印刷設定画面表示要求を受け取ると、プリンタドライバＰＤ１の印刷設定画面表示部３４は、印刷設定画面３５を表示する。オペレーティングシステム３２が、アプリケーション３１から、印刷要求を受け取ると、プリンタドライバＰＤ１の印刷部３６が印刷を開始する。
【００２３】
文字列取得部３３は、ディスプレイ１５に表示されている印刷設定画面３５に表示されているＨｅｌｐ表示ボタンが押下されると、ユーザインタフェース上に表示されている文字列を取得する。
【００２４】
ヘルプ情報検索部３８は、文字列取得部３３が取得した文字列を、検索キーワードとして、ヘルプ情報３９から、キーワードの文字列を検索する。ヒットしたヘルプ情報３９のホストコンピュータ上でのアドレスを取得する。検索結果表示部４０は、ヘルプ情報検索部３８が取得したヘルプ情報のアドレスに基づいて、そのヘルプを検索結果として、検索結果画面３７に表示する。
【００２５】
ホストコンピュータ１０は、ユーザインタフェースを具備し、ヘルプ機能を具備する情報処理装置の例である。
【００２６】
ＣＰＵ１１は、ヘルプを表示させる際に、上記情報処理装置のユーザインタフェース上の文字列を取得する文字列取得工程を実現する要素の例である。また、ＣＰＵ１１は、上記文字列取得工程で取得された文字列を、キーワードとして、ヘルプ情報を検索する検索工程を実現する要素の例である。
【００２７】
検索結果画面３７は、上記検索工程で検索された検索結果に基づいて、ヘルプを表示する表示工程を実現する要素の例である。
【００２８】
また、上記情報処理装置は、デバイスドライバである。このデバイスドライバは、デバイスのステータス情報を取得するステータス情報取得工程と、デバイスのステータス情報を表示するステータスの情報表示工程とを実行する要素の例である。また、上記文字列取得工程は、上記ステータス情報表示工程で表示された文字列を取得する工程である。
【００２９】
また、上記情報処理装置のユーザインタフェースは、ウインドウであり、上記文字列取得工程は、上記ウインドウのタイトルやタブの文字列を取得する工程である。さらに、上記情報処理装置のユーザインタフェースは、ウインドウである。上記文字列取得工程は、上記ウインドウ内に表示されているコントロール内の文字列を取得する工程である。
【００３０】
さらに、上記文字列取得工程は、ヘルプを表示する際に上記情報処理装置のユーザインタフェース上でヘルプを表示する直前にフォーカスが当たっていた文字列を取得する工程である。
【００３１】
そして、上記文字列取得工程は、取得した文字列について、優先順位をつける工程であり、上記表示工程は、上記検索工程で検索されたヘルプ情報を、優先順位の高い順に表示する工程である。
【００３２】
図４は、プリンタドライバＰＤ２とヘルプビューワＨＶ１との機能構成を示すブロック図である。
【００３３】
図３に示すプリンタドライバＰＤ１は、文字列取得部３３と、ヘルプ情報検索部３８と、ヘルプ情報３９と、検索結果表示部４０とを有する。しかし、図４に示すプリンタドライバＰＤ２は、文字列取得部５３を持ち、ヘルプを表示するヘルプビューワＨＶ１が、ヘルプ情報検索部５５と、ヘルプ情報５６と、検索結果表示部５７とを持つ。
【００３４】
文字列取得部５３が取得した文字列を、ヘルプビューワ起動部５８がヘルプビューワＨＶ１を起動する際に、プリンタドライバＰＤ２が、起動時のオプション（コマンドライン引数）で渡す。
【００３５】
図５は、印刷設定画面３５ａを示す図である。
【００３６】
印刷設定画面３５ａは、ハードディスク１３に格納されているプリンタドライバＰＤ１の印刷設定画面３５の一例である。
【００３７】
印刷設定画面３５ａは、基本設定６２のタブのシートが選択されている画面である。
【００３８】
印刷設定６１は、プリンタドライバの印刷設定ダイアログのウインドウタイトル名である。用紙の種類６５は、プリンタドライバで印刷する時の用紙の設定であり、現在は普通紙が選択されている。
【００３９】
給紙方法６６は、プリンタドライバで印刷する時の用紙の給紙設定であり、「給紙切替ボタンに従う」が選択されている。印刷品質６７は、「きれい」が選択され、モノクロ印刷６８には、チェックがついていない状態である。
【００４０】
ＯＫボタン７０を押下すると、プリンタドライバの印刷設定画面３５ａでユーザが設定した情報を反映して画面を閉じる。キャンセルボタン７１を押下すると、プリンタドライバの印刷設定画面３５ａでユーザが設定した情報を反映せずに画面を閉じる。
【００４１】
図６は、検索結果画面３７の一例としての検索結果画面３７ａを示す図である。
【００４２】
画面３７ａは、プリンタドライバのヘルプを表示する。
【００４３】
図７は、Ｈｅｌｐ表示ボタン６９を押下し、ヘルプを表示する動作を示すフローチャートである。
【００４４】
まず、ユーザが、プリンタドライバの印刷設定画面３５ａを開き、基本設定６２のタブのシート上のＨｅｌｐ表示ボタン６９を押下する。これによって、Ｓ３１で、文字列取得工程で、プリンタドライバの文字列取得部３３が印刷設定画面３５ａ上で使用されている文字列を取得する。
【００４５】
文字列取得部３３は、印刷設定画面表示部３４に表示する画面で使用されている文字列であれば、どの文字列でも、必要であれば取得できるように実装しておく。
【００４６】
図８は、文字列管理データベースＤＢ１の一例を示す図である。
【００４７】
たとえば、図８に示すように、使用している文字列（いわゆるコントロールと呼ばれる文字列）を、全て、文字列管理データベースＤＢ１に格納し、表示しているウインドウタイトルや選択しているタブによって、文字列を引き出す。
【００４８】
文字列取得部３３は、プリンタドライバのＨｅｌｐ表示ボタン６９が押下されると、どの文字列を取得するかを、プリンタドライバのＨｅｌｐ表示ボタン６９を押下したときにおける処理に記述する。または、どの文字列を取得するかを記述した設定ファイルを予め用意し、Ｈｅｌｐ表示ボタン６９を押下した時に、文字列取得部３３がその設定ファイルを参照し、記載にあった文字列をデータベースＤＢ１から取得することができる。
【００４９】
たとえば、取得する文字列は、Ｈｅｌｐ表示ボタン６９を押下する直前にフォーカスが当たっている文字列を取得するようにしてもよい。
【００５０】
実施例１では、Ｈｅｌｐ表示ボタン６９を押下したときに、文字列取得部３３がウインドウタイトル名とタブ名との文字列を取得する。
【００５１】
図９は、文字列取得工程（Ｓ３１）で取得した文字列に基づいて、検索工程（Ｓ３２）で検索し、表示工程（Ｓ３３）で、ヘルプを表示する動作を示すフローチャートである。
【００５２】
Ｓ４１で、文字列取得工程を実行する。すなわち、文字列取得部３３は、文字列管理データベースＤＢ１にアクセスし、現在表示しているウインドウタイトル名の「印刷設定」に基づいて、タブ名の「基本設定」「ページ設定」「メンテナンス」の３つの文字列を取得する。つまり、上記４つの文字列である「印刷設定」「基本設定」「ページ設定」「メンテナンス」の文字列を取得する。
【００５３】
Ｓ４２で、ヘルプ情報検索部３８は、文字列取得部３３が取得した文字列が複数あるかどうかを判断する。上記の場合、取得した文字列が「印刷設定」「基本設定」「ページ設定」「メンテナンス」であるので、取得した文字列が複数である。よって、Ｓ４７で、ヘルプ情報検索部３８は、取得した文字列である「印刷設定」「基本設定」「ページ設定」「メンテナンス」を、まとめてヘルプ情報３９についてＡＮＤ検索する。つまり、上記４つの文字列が全て含まれている文字列を検索する。
【００５４】
また、Ｓ４８で、ヘルプ情報検索部３８は、「印刷設定」「基本設定」「ページ設定」「メンテナンス」を、まとめてヘルプ情報３９についてＯＲ検索する。つまり、上記４つの文字列のどれか１つが入っている文字列を検索する。
【００５５】
そしてＡＮＤ検索、ＯＲ検索の結果、検索にヒットしたヘルプ情報のアドレスを取得する。Ｓ４９で、表示工程を実行する。つまり、ヘルプ情報検索部３８が取得したヘルプ情報のアドレスに基づいて、ＡＮＤ検索とＯＲ検索とでヒットしたヘルプを、検索結果表示部４０が表示する。
【００５６】
図１０は、検索結果画面３７の例である検索結果画面３７ｂを示す図である。
【００５７】
検索結果画面３７ｂに、ＡＮＤ検索とＯＲ検索との結果を、検索結果表示部４０が表示されている。
【００５８】
検索結果画面３７ｂは、検索した結果のリストを表示するリスト表示エリア７５と、リストに表示されたヘルプを表示するブラウザ表示エリア７６とに分けられる。
【００５９】
図１０に示す例では、リスト表示エリア７５から「印刷設定」「基本設定」「ページ設定」「メンテナンス」を、ＡＮＤ検索した結果、「設定を変更する」というヘルプが見つかる。ＯＲ検索した結果、「基本設定を変更する。」「ページ設定を変更する。」「メンテナンス設定を変更する。」というヘルプが見つかる。
【００６０】
ブラウザ表示エリア７６には、「設定を変更する」ヘルプの内容が表示されている。上記より、プリンタドライバの印刷設定画面表示部３４が表示した印刷設定画面３５ａのＨｅｌｐ表示ボタン６９が押下されると、検索結果画面３７ｂに、該当するヘルプを表示することができる。このために、その印刷設定画面３５ａのウインドウに関連する所望のヘルプを表示することができる。
【００６１】
ヘルプの構成やファイル名が動的に変更されても、ヘルプ情報を検索し、ヒットしたヘルプを表示するので、新たなｉｄに対応するヘルプの表示一覧表を作り直す必要がない。また、ヘルプの表示には、検索文字列である「印刷設定」「基本設定」「ページ設定」「メンテナンス」に、優先順位をつけて優先度の高い文字列での検索にヒットしたヘルプを、上から順にするようにしてもよい。
【００６２】
ヘルプ情報である「基本設定を変更する。」「ページ設定を変更する。」「メンテナンス設定を変更する。」に、優先度をつけ、優先度の高いヘルプを上から表示するようにしてもよい。
【００６３】
もし、Ｓ４２で取得した文字列が、ウインドウタイトル名の「印刷設定」だけであれば、Ｓ４３で、ヘルプ情報検索部３８は、「印刷設定」の文字列でヘルプ情報３９を検索する。そして、Ｓ４４で、検索結果表示部が、検索結果表示画面にＡＮＤ検索結果として、検索されたヘルプを表示する。
【実施例２】
【００６４】
図１１は、ＲＡＭ１２やハードディスク１３に格納されているプリンタドライバＰＤ３の機能構成の一例を示す図である。
【００６５】
アプリケーション８１から、印刷設定画面表示要求をオペレーティングシステム８２が受け取ると、プリンタドライバＰＤ３の印刷設定画面表示部８６は、印刷設定画面８７を表示する。
【００６６】
アプリケーション８１からの印刷要求を、オペレーティングシステム８２が受け取ると、プリンタドライバＰＤ３の印刷部９０が印刷を開始する。ステータス情報取得部８４は、プリンタ２０から文字列を取得し、ステータス情報表示部８５は、その文字列を画面上に表示する。
【００６７】
文字列取得部８３は、ディスプレイ１５に表示されている印刷設定画面８７上のＨｅｌｐ表示ボタンが押下された際に、ステータス情報取得部８４から文字列を取得する。
【００６８】
図１２は、ハードディスク１３に格納されているプリンタドライバの印刷設定画面表示部８６が表示している印刷設定画面８７で、メンテナンス９３のタブのシートが選択されている画面９２を示す図である。
【００６９】
Ｈｅｌｐ表示ボタン９４を押下した場合、Ｓ３１の文字列取得工程で、プリンタドライバの文字列取得部８３は、ステータス情報取得部８４に対してステータスの文字列を要求する。
【００７０】
要求を受けたステータス情報取得部８４は、ステータスの状態を返却するステータスコマンドを、プリンタ２０に送信する。ステータスの状態には、「プリンタオフライン」、「インク切れ」、「紙詰まり」等がある。
【００７１】
プリンタ２０に電源が入っていなければ、また、ＵＳＢケーブルがホストコンピュータやプリンタ２０とつながっていなければ、ステータス応答コマンドをプリンタ２０に送信できない。この場合、「プリンタオフライン」のステータスの状態の文字列を、ステータス情報取得部８４が予め持ち、これを、文字列取得部８３に返却する。
【００７２】
ステータス情報取得部８４がステータス応答コマンドを送信し、プリンタ２０がそのコマンドを受信すれば、プリンタ２０から返された応答を、ステータス情報取得部８４が受け取る。
【００７３】
プリンタ２０から返された応答が、ステータスの状態の文字列（「インク切れ」、「紙詰まり」など）であれば、ステータス情報取得部８４は、その文字列を受け取り、文字列取得部８３に返却する。ただし、プリンタ２０には、プリンタ２０自身が保存できるメモリが少ないので、ステータスの状態の文字列を持ってない場合がある。この場合、文字列ではなく、ステータスの状態を表す数字（ｉｄ）を応答として、ステータス情報取得部８４に返却する。
【００７４】
図１３は、ステータス情報取得部８４がプリンタ２０からステータスの状態を表す数字（ｉｄ）を応答として受け取った場合の一例を示す図である。
【００７５】
数字（ｉｄ）を応答として受け取った場合、ステータス情報取得部８４は、応答として受け取った数字（ｉｄ）から、ステータス文字列を取得できるステータス情報データベースＤＢ２を予め用意する。
【００７６】
そして、プリンタ２０から数字（ｉｄ）を応答として受け取った場合、ステータス情報データベースＤＢ２から、ステータスの文字列を取得し、この取得した文字列を、プリンタドライバＰＤ３の文字列取得部８３に返却する。
【００７７】
プリンタドライバＰＤ３の文字列取得部８３が、ステータス情報取得部８４からステータス情報の文字列を取得し、その後に、検索結果表示部８９が、検索結果画面９１にヘルプを表示させるまでの動作は、実施例１における動作と同じである。
【００７８】
上記実施例において、工程を手段に置き換えると、ヘルプ表示装置になる。
【００７９】
また、上記実施例において、工程を手順に置き換え、これらの手順をコンピュータに実行させるプログラムを想定することができる。つまり、上記プログラムは、ユーザインタフェースを有する情報処理装置がヘルプ機能を具備し、ヘルプを表示させる際に、上記情報処理装置のユーザインタフェース上の文字列を取得する文字列取得手順をコンピュータに実行させるプログラムである。また、上記プログラムは、上記文字列取得手順で取得した文字列を、キーワードとして、ヘルプ情報を検索する検索手順と、上記検索手順で検索した検索結果に基づいて、ヘルプを表示する表示手順とをコンピュータに実行させるプログラムである。
【図面の簡単な説明】
【００８０】
【図１】本発明の実施例１であるホストコンピュータ１０を示す図である。
【図２】ホストコンピュータ１０の物理的な構成を示す図である。
【図３】プリンタドライバＰＤ１の機能構成の一例を示す図である。
【図４】プリンタドライバＰＤ２とヘルプビューワＨＶ１との機能構成を示すブロック図である。
【図５】印刷設定画面３５ａを示す図である。
【図６】検索結果画面３７の一例としての検索結果画面３７ａを示す図である。
【図７】Ｈｅｌｐ表示ボタン６９を押下し、ヘルプを表示する動作を示すフローチャートである。
【図８】文字列管理データベースＤＢ１の一例を示す図である。
【図９】文字列取得工程で取得した文字列に基づいて、検索工程で検索し、表示工程で、ヘルプを表示する動作を示すフローチャートである。
【図１０】検索結果画面３７の例である検索結果画面３７ｂを示す図である。
【図１１】ＲＡＭ１２やハードディスク１３に格納されているプリンタドライバＰＤ３の機能構成の一例を示す図である。
【図１２】ハードディスク１３に格納されているプリンタドライバの印刷設定画面表示部８６が表示している印刷設定画面８７で、メンテナンス９３のタブのシートが選択されている画面９２を示す図である。
【図１３】ステータス情報取得部８４がプリンタ２０からステータスの状態を表す数字（ｉｄ）を応答として受け取った場合の一例を示す図である。
【符号の説明】
【００８１】
１０…ホストコンピュータ、
１１…ＣＰＵ、
１２…ＲＡＭ、
１３…ハードディスク、
１４…マウス、
１５…ディスプレイ、
１６…通信インタフェース、
１７…システムバス、
１９…インタフェース、
２０…プリンタ、
ＰＤ１…プリンタドライバ、
３３…文字列取得部、
３４…印刷設定画面表示部、
３５…印刷設定画面、
３６…印刷部、
３７…検索結果画面、
３８…ヘルプ情報検索部、
３９…ヘルプ情報、
４０…検索結果表示部。
【図１】
2009282817.tif 000003
【図２】
2009282817.tif 000004
【図３】
2009282817.tif 000005
【図４】
2009282817.tif 000006
【図５】
2009282817.tif 000007
【図６】
2009282817.tif 000008
【図７】
2009282817.tif 000009
【図８】
2009282817.tif 000010
【図９】
2009282817.tif 000011
【図１０】
2009282817.tif 000012
【図１１】
2009282817.tif 000013
【図１２】
2009282817.tif 000014
【図１３】
2009282817.tif 000015